(57)【要約】      （修正有）【課題】各種の管理情報の登録と、各種の管理情報の登録の履歴に基づいた帳票の作成の指示とを、遠隔よりワンタッチで入力することができ、各種の管理情報の管理の効率化と帳票の作成に係る負担の軽減を図る。【解決手段】携帯端末装置１０は、位置情報を取得するＧＰＳ受信機１２０と、時間情報を取得する時計部１４０と、タッチパネル部１１０と、タッチパネル部１１０の表示画面上に、管理装置に対し、管理対象者を特定する識別情報とともに、ＧＰＳ受信機１２０で取得した位置情報および時計部１４０で取得した時間情報をワンタッチで出力させるための各種の管理情報登録用のタッチボタン、および、管理情報登録用のタッチボタンの操作に伴ってそれぞれ入力される各種の管理情報の、管理装置での履歴に基づいた帳票の作成の指示をワンタッチで出力させるための帳票作成指示用のタッチボタンを表示させる制御部１００と、無線通信部１７０と、を備える。【選択図】図３
2020098436.tif 000002
【特許請求の範囲】
【請求項１】
管理用端末にネットワークを介して接続可能であり、前記管理用端末で管理される各種の管理情報を登録するための携帯端末装置であって、
位置情報を取得する測位部と、
時間情報を取得する計時部と、
タッチパネル部と、
前記タッチパネル部の表示画面上に、ユーザ個人を特定する識別情報とともに、前記測位部で取得した前記位置情報および前記計時部で取得した前記時間情報をワンタッチで出力させるための各種の管理情報登録用のタッチボタン、および、前記管理情報登録用のタッチボタンの操作に伴ってそれぞれ入力される各種の管理情報の、前記管理用端末での履歴に基づいた帳票の作成の指示をワンタッチで出力させるための帳票作成指示用のタッチボタンを表示させる表示制御部と、
前記タッチボタンの操作に応じて、それぞれ入力される各種の管理情報または帳票の作成の指示を前記管理用端末に出力する出力部と、
を備えることを特徴とする携帯端末装置。
【請求項２】
前記管理情報登録用のタッチボタンは、前記ユーザ個人の出退勤、作業内容、および、救助要請のいずれかに関するものであることを特徴とする請求項１に記載の携帯端末装置。
【請求項３】
前記携帯端末装置はウェアラブルデバイスの接続が可能であり、
前記ウェアラブルデバイスに対して、所望のアラートを送信する送信部をさらに備えることを特徴とする請求項１または２に記載の携帯端末装置。
【請求項４】
前記請求項１から３のいずれかに記載の携帯端末装置と、
前記携帯端末装置を複数接続可能であり、各携帯端末装置を介して、ユーザ個人により入力される各種の管理情報を管理するための管理用端末と、
サーバ装置と、
を備えた情報管理システムであって、
前記管理用端末が、
前記各携帯端末装置よりそれぞれ入力される各種の管理情報を、前記サーバ装置を用いて管理する管理部と、
前記管理部が管理する前記各種の管理情報の管理履歴を更新する更新部と、
を備えることを特徴とする情報管理システム。
【請求項５】
コンピュータを前記請求項１に記載の携帯端末装置として機能させるためのユーザ端末プログラム。
【発明の詳細な説明】
【技術分野】
【０００１】
本発明は、遠隔にいる管理対象者の出退勤（勤怠）などの管理を行うための携帯端末装置、情報管理システム、および、ユーザ端末プログラムに関する。
【背景技術】
【０００２】
近年、建築現場などの遠隔にいる作業者（管理対象者）の出退勤などの管理を、各管理対象者が携帯するスマートフォン（スマホ）などの携帯端末を用いて適切に行うことができるようにした情報処理システムが提案されている（例えば、特許文献１参照）。
【０００３】
上記特許文献１は、携帯端末から受信した応答情報およびカメラによって撮像された撮像画像のデータを、時間を同期させて対応付けた人員管理情報として管理するとともに、その管理された人員管理情報を遠隔監視装置に通知することで、建築現場などの遠隔にいる労働者の出退勤の管理などを適切に行うというものであった。
【先行技術文献】
【特許文献】
【０００４】
【特許文献１】特開２０１７−１６７８９１号公報
【発明の概要】
【発明が解決しようとする課題】
【０００５】
しかしながら、特許文献１は、非可聴域高周波音声が到達可能な所定範囲（人員管理装置の設置場所）内に管理対象者が進入したことを検出し、その検出結果とカメラの撮像画像とを対応付けることにより、当該管理対象者を管理するものであった。これにより、人員管理装置の設置場所から遠く離れた遠隔の地において、管理対象者が人員管理装置の設置場所にいつからいつまで存在したのかなどを容易に管理できるものの、人員管理装置の設置場所以外での管理対象者の管理が行えないという課題があった。
【０００６】
ここで、遠隔にいる管理対象者の出退勤を管理する場合の例として、プランテーションやファームなどの大規模農業（農場または農園）の場合、農地が広いことなどから、農作業に従事する作業者は、農作業を行う各現場において、出退勤の登録の申請を行うことができるようにした方が効率が良い。
【０００７】
即ち、大規模農業においては、農作業の現場が事務所から離れている場合が多く、遠隔での出退勤管理を行わないと、事務所から現場までの移動に無駄な時間を要する。
【０００８】
特に、農業では、施肥や農薬の散布など、作物の生育の状況に応じた作業を行うことが大事であることから、行った作業の内容を記録しておく必要があるが、屋外での作業も多い。そのため、作業中は、作業しながら実際に行った作業の内容をメモしておき、一日の全作業の終了後などに、事務所などでメモ書きを参考に作業日誌などとしてまとめ直すのは大変な負担であった。
【０００９】
本発明は、上記に鑑みてなされたもので、各種の管理情報の登録と、各種の管理情報の登録の履歴に基づいた帳票の作成の指示とを、遠隔よりワンタッチで入力することができ、各種の管理情報の管理の効率化と帳票の作成に係る負担の軽減とが可能な携帯端末装置、情報管理システム、および、ユーザ端末プログラムを提供することを目的とする。
【課題を解決するための手段】
【００１０】
第１態様の携帯端末装置は、
管理用端末にネットワークを介して接続可能であり、前記管理用端末で管理される各種の管理情報を登録するための携帯端末装置であって、
位置情報を取得する測位部と、
時間情報を取得する計時部と、
タッチパネル部と、
前記タッチパネル部の表示画面上に、ユーザ個人を特定する識別情報とともに、前記測位部で取得した前記位置情報および前記計時部で取得した前記時間情報をワンタッチで出力させるための各種の管理情報登録用のタッチボタン、および、前記管理情報登録用のタッチボタンの操作に伴ってそれぞれ入力される各種の管理情報の、前記管理用端末での履歴に基づいた帳票の作成の指示をワンタッチで出力させるための帳票作成指示用のタッチボタンを表示させる表示制御部と、
前記タッチボタンの操作に応じて、それぞれ入力される各種の管理情報または帳票の作成の指示を前記管理用端末に出力する出力部と、
を備えることを特徴とする。
【００１１】
第２態様の情報管理システムは、
前記第１態様に記載の携帯端末装置と、
前記携帯端末装置を複数接続可能であり、各携帯端末装置を介して、ユーザ個人により入力される各種の管理情報を管理するための管理用端末と、
サーバ装置と、
を備えた情報管理システムであって、
前記管理用端末が、
前記タッチボタンの操作に伴って、前記各携帯端末装置よりそれぞれ入力される各種の管理情報を、前記サーバ装置を用いて管理する管理部と、
前記管理部が管理する前記各種の管理情報の管理履歴を更新する更新部と、
を備えることを特徴とする。
【００１２】
第３態様のユーザ端末プログラムは、
コンピュータを前記第１態様の携帯端末装置として機能させる
ことを特徴とする。
【発明の効果】
【００１３】
本発明によれば、各種の管理情報の登録と、各種の管理情報の登録の履歴に基づいた帳票の作成の指示とを、遠隔よりワンタッチで入力することができ、各種の管理情報の管理の効率化と帳票の作成に係る負担の軽減とが可能な携帯端末装置、情報管理システム、および、ユーザ端末プログラムを提供できる。
【図面の簡単な説明】
【００１４】
【図１】本発明の実施形態に係る情報管理システムを大規模農業に適用した場合を例に示す概念図である。
【図２】情報管理システムの全体構成を示すブロック図である。
【図３】情報管理システムにおける携帯端末装置（ユーザ端末）のブロック図である。
【図４】情報管理システムにおける管理装置のブロック図である。
【図５】情報管理システムにおけるクライアントサーバ（クラウドサーバ）のブロック図である。
【図６】携帯端末装置の表示画面の一例（ユーザ登録画面）を示す概略図である。
【図７】携帯端末装置の表示画面の一例（ログイン画面）を示す概略図である。
【図８】携帯端末装置の表示画面の一例（メイン画面）を示す概略図である。
【図９】携帯端末装置の表示画面の変化を、コメント投稿時を例に示す概略図であって、（ａ）はスタンプ選択画面であり、（ｂ）はコメント入力画面であり、（ｃ）は写真選択画面であり、（ｄ）は写真撮影画面であり、（ｅ）は登録申請画面である。
【図１０】携帯端末装置の表示画面の一例（ログ表示画面）を示す概略図であって、（ａ）は投稿の表示例であり、（ｂ）はリアクションスタンプ付与時を例示したものである。
【図１１】携帯端末装置の画面表示の一例（帳票表示メニュー画面）を示す概略図である。
【図１２】情報管理用アプリの試作例を基にスタート画面を示す概略図であって、（ａ）は、スワイプ（または、フリック）前のスタート画面の表示例であり、（ｂ）は、スワイプ途中のスタート画面の表示例であり、（ｃ）は、スワイプ後のスタート画面の表示例である。
【図１３】情報管理用アプリの試作例を基に出退勤管理用画面を示す概略図である。
【図１４】情報管理用アプリの試作例を基に緊急連絡用画面を示す概略図である。
【図１５】情報管理用アプリの試作例を基に通常業務の登録（申請）用画面を示す概略図である。
【図１６】情報管理用アプリの試作例を基に打合せの登録（申請）用画面を示す概略図である。
【図１７】情報管理用アプリの試作例を基に記録確認（申請）用画面を示す概略図である。
【図１８】出勤登録時の申請画面を示す概略図である。
【図１９】登録完了時の画面を示す概略図である。
【図２０】退勤登録時の申請画面を示す概略図である。
【図２１】作業終了時の入力画面（キー入力用）を示す概略図である。
【図２２】作業終了時の入力画面（音声入力用）を示す概略図である。
【図２３】出退勤記録の確認用画面を示す概略図である。
【図２４】業務記録の確認用画面を示す概略図である。
【図２５】ログファイルの構成例を示す概略図である。
【図２６】業務日誌の表示例を示す概略図である。
【図２７】緊急連絡時の送信確認用画面（キー入力用）を示す概略図である。
【図２８】緊急連絡時の送信確認用画面（音声入力用）を示す概略図である。
【図２９】管理装置を示す概略図である。
【図３０】管理パネルの表示例を示す概略図である。
【図３１Ａ】スタンプ押印時の処理の流れを示すフローチャートである。
【図３１Ｂ】スタンプ押印時の処理の流れを示すフローチャートである。
【図３２Ａ】緊急連絡時の処理の流れを示すフローチャートである。
【図３２Ｂ】緊急連絡時の処理の流れを示すフローチャートである。
【図３３Ａ】記録確認時の処理の流れを示すフローチャートである。
【図３３Ｂ】記録確認時の処理の流れを示すフローチャートである。
【図３４Ａ】ウェアラブルデバイスからの救助要請時の処理の流れを示すフローチャートである。
【図３４Ｂ】ウェアラブルデバイスからの救助要請時の処理の流れを示すフローチャートである。
【図３５Ａ】自動スケジュール記録時の処理の流れを示すフローチャートである。
【図３５Ｂ】自動スケジュール記録時の処理の流れを示すフローチャートである。
【発明を実施するための形態】
【００１５】
以下、本発明の実施形態について、図面を参照して説明する。
【００１６】
ここでは、情報管理システムの一実施例として、大規模農業において、農作業に従事する作業者などの管理対象者（ユーザ個人）の出退勤情報（出退勤記録）や作業の内容（業務記録）といった各種の管理情報を履歴として簡単に登録することができるとともに、その履歴に基づいた作業日誌（帳票）の作成の指示などを容易に行うことが可能な、出退勤・業務履歴管理システムとした場合について説明する。
【００１７】
図１は、出退勤・業務履歴管理システムが適用される大規模農業を例示するものである。ここでいう大規模農業とは、大型のプランテーションやファームのような、広大な農地を有し、多数の管理対象者が作業者などとして従事する、例えば、法人化された農場または農園のことを指すものとする。
【００１８】
大規模農業は、山間部などにおいて、農作業を行う現場（農地）としての畑３、ビニルハウス５、圃場（田んぼ）７のほか、本店（本社）の事務所９、および、都市部などの農地の遠方において、収穫した野菜などの作物を販売する店舗１などから構成されている。
【００１９】
店舗１は、例えば、本店に対する支店（支社）や常設の販売所（旗艦店）であって、イベントなどの所定の期間内のみ開設される特設のショップであっても良い。
【００２０】
図１に示すように、出退勤・業務履歴管理システムは、複数の携帯端末装置１０、管理用端末としての管理装置２０、および、サーバ装置としてのクライアントサーバ（例えば、Cloud Computing）３０を主体に構成されている。
【００２１】
複数の携帯端末装置１０は、それぞれが、例えばスマートフォン（以下、「スマホ」）１０ａ，１０ｂ，１０ｃ，１０ｄ，１０ｅ，１０ｆ，…，１０ｎから構成されている。スマホ１０ａは、例えば、店舗１において、販促の作業に従事する販売員（管理対象者）Ａが携帯する。スマホ１０ｂ，１０ｃ，１０ｄ，１０ｅ，１０ｆ，…は、例えば、農作業に従事する作業者（管理対象者）Ｂ，Ｃ，Ｄ，Ｅ，Ｆ，…がそれぞれ携帯する。スマホ１０ｎは、例えば、事務所９において、管理対象者の出退勤などを管理する管理者Ｎが携帯する。管理者Ｎは、自身を管理対象者の一人としても良い。また、管理者Ｎを、後述する出退勤情報の変更や修正の承認などの、各種の承認権を有する上長としても良い。また、管理者Ｎが携帯するスマホ１０ｎを、管理装置２０として兼用させるようにしても良い。
【００２２】
スマホ１０ａ，１０ｂ，１０ｃ，１０ｄ，１０ｅ，１０ｆ，…，１０ｎの詳細については後述するが、いずれもＧＰＳ（Global Positioning System）衛星３２を用いた測位検出が可能な構成とされている。なお、測位検出には、ＧＮＳＳ（Global Navigation Satellite System）衛星を用いる構成としても良い。
【００２３】
図２は、図１の出退勤・業務履歴管理システムの全体構成を示すブロック図である。
【００２４】
図２において、この出退勤・業務履歴管理システムは、複数の携帯端末装置１０、管理装置２０、および、クライアントサーバ３０が、インターネット回線（ネットワーク）４０を介して相互に接続されている。
【００２５】
このような構成により、出退勤・業務履歴管理システムにおいては、複数の携帯端末装置１０、管理装置２０、および、クライアントサーバ３０の相互間において、各種の情報などのやり取りが可能とされている。
【００２６】
なお、複数の携帯端末装置１０は、上述したように、スマホ１０ａ，１０ｂ，１０ｃ，１０ｄ，１０ｅ，１０ｆ，…，１０ｎにより構成された、所謂ユーザ端末（ＵＩ）である。以下では、各スマホ１０ａ，１０ｂ，１０ｃ，１０ｄ，１０ｅ，１０ｆ，…，１０ｎは、いずれも基本的にほぼ同様の構成を有するものとして、便宜上、１つの携帯端末装置１０を例示して説明する。
【００２７】
図３は、図２の出退勤・業務履歴管理システムにおける携帯端末装置１０の構成例を示すブロック図である。
【００２８】
携帯端末装置１０は、制御部１００、タッチパネル部１１０、ＧＰＳ受信機１２０、電話通信部１３０、時計部１４０、カメラ部１５０、音声処理部１６０、無線通信部（出力部）１７０、アラート部１８０、および、ウェアラブル端末制御部（送信部）１９０などを備える。
【００２９】
制御部１００は、表示制御部を成すＣＰＵ（Central Processing Unit）１０１や、ＲＯＭ（Read Only Memory）およびＲＡＭ（Random Access Memory）などからなるメモリ１０２などを備えている。
【００３０】
ＣＰＵ１０１は、メモリ１０２に記憶されているプログラムやロードされたプログラム（例えば、後述する専用のアプリ）にしたがって上記の各部（１１０，１２０，１３０，１４０，１５０，１６０，１７０，１８０，１９０）を制御し、各種の処理を実行する。
【００３１】
メモリ１０２は、各種のプログラムを記憶するとともに、各種の処理を実行する際に必要なデータなどを記憶する。
【００３２】
タッチパネル部１１０は、モニタやキーボードとして機能するのもで、管理対象者に情報などを表示したり、管理対象者の操作により情報などを入力したりする。
【００３３】
ＧＰＳ受信機１２０は、ＧＰＳ衛星３２からのＧＰＳ信号を受信して、その位置情報（例えば、緯度および経度または住所など）を取得する測位部として機能するものである。
【００３４】
電話通信部１３０は、他の携帯端末装置１０などとの間で行う電話通信（通話）を制御するものである。
【００３５】
時計部１４０は、現在の時刻を計時して時刻情報を取得する計時部として機能するものである。
【００３６】
カメラ部１５０は、写真を撮影したり、撮影した写真をライブラリとして保管するものである。なお、撮影した写真や外部より取り込んだ写真は、メモリ１０２で保管することも可能である。
【００３７】
音声処理部１６０は、音声入力のための音声認識処理やアラート用の音声合成処理を行うものである。音声合成処理により、適宜、必要に応じて適切なアラートの発生が可能となる。
【００３８】
無線通信部１７０は、他の携帯端末装置１０や図２に示した管理装置２０またはクライアントサーバ３０などとの間で行う無線通信を制御するものである。
【００３９】
アラート部１８０は、各種（所望）のアラートを発生させるためのものである。
【００４０】
ウェアラブル端末制御部１９０は、ウェアラブルデバイス１９１が接続される場合に、そのウェアラブルデバイス１９１との間で行うBluetooth（登録商標）による通信またはＷｉ−Ｆｉ（ワイファイ）による通信を制御するものである。
【００４１】
ウェアラブルデバイス１９１は、身体に装着して使用する、例えば腕時計タイプのものであって、スマホと連動し、アラートを発生したり、加速度検出機能や通信機能などを有している。
【００４２】
図４は、図２の出退勤・業務履歴管理システムにおける管理装置２０の構成例を示すブロック図である。
【００４３】
管理装置２０は、例えば大規模農業において、管理者Ｎが管理対象者の給与計算などの労務管理を行うためのものであって、パーソナルコンピュータ（ＰＣ）を主体に構成されている。
【００４４】
この管理装置２０は、制御部（管理部／更新部）２００、ディスプレイ２１０、キーボード２２０、マウス２３０、ハードディスクドライブ（ＨＤＤ）２４０、通信装置２５０、および、プリンタ２６０などを備える。
【００４５】
制御部２００は、ＣＰＵ２０１や、ＲＯＭおよびＲＡＭなどからなるメモリ２０２などを備えている。
【００４６】
ＣＰＵ２０１は、メモリ２０２に記憶されているプログラムやロードされたプログラム（例えば、後述する専用のアプリ）にしたがって上記の各機器（２１０，２２０，２３０，２４０，２５０，２６０）を制御し、各種の処理を実行する。
【００４７】
メモリ２０２は、各種のプログラムを記憶するとともに、各種の処理を実行する際に必要なデータなどを記憶する。
【００４８】
ディスプレイ２１０は、モニタとして機能するのもで、管理者Ｎに情報や後述する「管理パネル」などを表示するためのものである。
【００４９】
キーボード２２０は、管理者Ｎが指示や情報などを入力するためのものである。
【００５０】
マウス２３０は、管理者Ｎがディスプレイ２１０上に表示される指示や情報などを選択するためのものである。
【００５１】
ＨＤＤ２４０は、外付け用の外部記憶装置であって、多量のデータやプログラムを保存できるようになっている。
【００５２】
通信装置２５０は、図２に示したクライアントサーバ３０などとの間で行う通信を制御するものである。
【００５３】
プリンタ２６０は、管理者Ｎがディスプレイ２１０上に表示される情報や帳票などをプリントアウトさせるためのものである。
【００５４】
図５は、図２の出退勤・業務履歴管理システムにおけるクライアントサーバ３０の構成例を示すブロック図である。
【００５５】
クライアントサーバ３０は、例えば大規模農業において、インターネット回線４０を介して出退勤記録などの各種の情報を蓄積するためのクラウドであって、制御部３００、通信装置３１０、および、記録装置３２０などから構成されている。
【００５６】
制御部３００は、ＣＰＵ３０１や、ＲＯＭおよびＲＡＭなどからなるメモリ３０２などを備えている。
【００５７】
ＣＰＵ３０１は、例えば、管理装置２０の操作にしたがって、上記の各機器（３１０，３２０）を制御し、各種の処理を実行する。
【００５８】
メモリ３０２は、各種のプログラムを記憶したり、各種の処理を実行する際に必要なデータなどを記憶する。
【００５９】
通信装置３１０は、管理装置２０や携帯端末装置１０などとの間で行う通信を制御するものである。
【００６０】
記録装置３２０は、出退勤記録などの各種の情報を「ログファイル（後述する）」として登録するもので、情報を保管するためのデータベース（ＤＢ）として機能する。
【００６１】
ここで、大規模農業においては、農地が広いことなどから、店舗１や農作業の現場（３，５，７）が事務所９から離れている場合が多い。そのため、遠隔での出退勤管理を行わないと、事務所９から店舗１や各現場（３，５，７）までの移動に無駄な時間を要する。
【００６２】
例えば、農作業に従事する作業者Ｂ，Ｃ，Ｄ，Ｅ，Ｆ，…が一旦は事務所９に出勤し、そこで出勤の登録を申請（打刻など）した後に各現場（３，５，７）まで移動して作業するのは非効率である。同様の理由により、一日の作業が終了した後に退勤の登録の申請のためにわざわざ事務所９に立ち寄るのも、帰路が遠回りになる場合もあり、効率的でない。即ち、用事がない限り、いちいち事務所９に立ち寄るのは非効率であり、店舗１や農作業を行う各現場（３，５，７）において、出退勤の登録の申請を行うことができるようにした方が効率的である。
【００６３】
特に、農業では、季節（時期）や作物の生育の状況などに応じて、種まき、代掻き、施肥、または、農薬の散布などの適切な作業を行うことが大事であることから、その日に行った作業（業務）の内容を記録しておく必要があるが、屋外での作業も多い。そのため、作業した現場や作業の内容をメモしておき、一日の全作業が終了した後に、事務所９や自宅などでメモ書きを参考に日誌をまとめるのは大変な負担となっている。なお、数日分の日誌を事務所９でまとめて作成したり、自宅に持ち帰って日誌にまとめるなどしたとしても、作業の疲れもあり、負担が大きい。
【００６４】
この出退勤・業務履歴管理システムによれば、専用のアプリ（ユーザ端末プログラム）により、例えば大規模農業において、各管理対象者の出退勤情報や業務記録を履歴として簡単に管理できるとともに、その履歴に基づいた作業日誌（帳票）の作成の指示などが容易に可能となる。
【００６５】
また、出退勤・業務履歴管理システムが適用される大規模農業において、例えば、田起こし（耕起）の現場では、広い圃場７内を、一人の作業者Ｄが大型の農機を操作して作業する場合がある。また、人里より離れた場所での作業が多いことなどから、クマや毒虫などに襲われる危険性も高い。しかも、住所がない現場もあって、場所の特定が難しく、事故の通報が遅れることもある。そのため、事故が起きても簡単に救助できないなど、重大事故につながる危険性が高い。農業は、他の産業と比べても危険度の高い職種である。
【００６６】
特に、最近では、農業に従事する海外からの就労者も増加してきており、言葉の問題や土地かんの不足などから、ますます事故時の救助要請のし易さが重要視されてきている。
【００６７】
そこで、一実施例に係る出退勤・業務履歴管理システムにおいては、専用のアプリにより、管理対象者が携帯するスマホに「救助要請」のスタンプ（タッチボタン）を用意し、このスタンプを操作することによって、救助要請をワンタッチで申請できるようにしている。
【００６８】
即ち、スタンプの操作に伴って、スマホから管理対象者の識別情報（例えば、Personal Information）、時刻情報、および、位置情報を送信させるとともに、各種の管理情報をＤＢで保管する仕組みを備える。
【００６９】
これにより、救助要請の申請時には、ＧＰＳ信号による事故現場（住所）の特定や、現場周辺の地図を表示させることが容易に可能となる。
【００７０】
したがって、本人でなくとも、事故の現場や状況（救助の要否など）を正確に伝えることが可能となる。しかも、事故の現場を地図によって明確にすることができ、救助が必要な事故の現場へ急いで駆けつけることなどが可能となる。
【００７１】
特に、スタンプを記号化（図案化）したり、多言語化したりすることにより、日本語が堪能でない、海外からの就労者なども簡単に操作可能となる。
【００７２】
また、事故などの緊急時においては、例えば、ウェアラブルデバイス１９１が備える加速度センサの出力に基づいて、その管理対象者が携帯するスマホにより事故の発生を認識し、自動的に「救助要請」を行うようにすることもできる。「救助要請」がなされた際には、アラートなどによりウェアラブルデバイス１９１を介して「救助が必要」かの確認を行い、その管理対象者から「救助要請は誤報」である旨の返信がない場合に、実際の「救助要請」を行うようにしても良い。こうすることで、管理対象者本人が事故を通報できないような緊急時の場合にも、救助を要請することが可能となる。
【００７３】
しかも、屋外での作業中に汚れた手でスマホを操作せずとも、救助の要請が可能となるなど、スマホが汚れるのを回避できる。
【００７４】
同様に、一実施例に係る出退勤・業務履歴管理システムにおいては、専用のアプリにより、管理対象者が携帯するスマホに「出勤／退勤」のスタンプ（管理情報登録用のタッチボタン）を用意し、このスタンプを操作することによって、その場から出退勤の登録をワンタッチで申請できるようにしている。
【００７５】
これにより、出退勤の登録の申請時には、タイムカードやタイムレコーダ用のＩＣ（Integrated Circuit）カードなどを用いずとも、作業する現場で出退勤の登録を行うことができるようになる。したがって、事務所９に立ち寄らずに、作業する現場に直行しながらも出退勤を管理できるようになる。
【００７６】
また、出退勤の登録の申請時にＧＰＳ信号を利用することによって、どこからの申請か、現場の特定が容易に可能となる。
【００７７】
なお、出退勤の時刻が決められている勤務体系（販売員Ａなど）の場合においては、登録の申請を忘れることがないようにするために、専用のアプリにより、出退勤の時刻になると自動的に登録の申請を行うようにしても良い。
【００７８】
申請の方法としては、例えば、出勤の時刻になると、「出勤の登録を申請するか？」のアラートを発生させる。そして、このアラートに対して、販売員Ａが「取り消し」の操作を行わない場合に、「出勤／退勤」のスタンプを操作した際と同様に、スマホから販売員Ａの識別情報、時刻情報、および、位置情報を送信させるようにすれば良い。
【００７９】
また、退勤時には、例えば、退勤の時刻になると、「残業を申請するか？」のアラートを発生させる。そして、このアラートに対して、販売員Ａが「取り消し」の操作を行った場合に、「出勤／退勤」のスタンプを操作した際と同様に、スマホから販売員Ａの識別情報、時刻情報、および、位置情報を送信させるようにすれば良い。
【００８０】
なお、残業を申請した場合には、申請した残業終了の時刻に、「退勤の登録を申請するか？」のアラートを発生させるようにしても良い。
【００８１】
また、出退勤の登録を申請する場合に限らず、例えば、休憩の開始の時刻や終了の時刻にアラートを発生させ、管理対象者による「取り消し」の操作が行われない場合に、自動的に登録の申請を行うようにしても良い。
【００８２】
アラートの通知を音声により行うことや、アラートに対する応答の操作をウェアラブルデバイス１９１より可能とすることで、屋外での作業中も、作業で汚れた手でスマホを操作することなしに、各種の登録の申請が可能となる。
【００８３】
出退勤管理においては、出退勤の登録の申請を忘れたり、出退勤記録の誤りを修正したりする場合もある。このような場合、管理者Ｎの承認（決済）が必要とされる。出退勤記録は給与計算などにも使用されることから、不正に改ざんなどされないようにするためである。
【００８４】
また、残業を申請する場合も、残業時時間の制限や残業中の管理対象者を把握するなどの観点から、上長の承認を必要とする場合がある。
【００８５】
そこで、一実施例に係る出退勤・業務履歴管理システムにおいては、管理者Ｎの承認によって、修正の内容が確定するようにしている。また、上長による承認の可否に応じて、専用のアプリにより、アラートを発生させることによって確認できるようになっている。
【００８６】
一方、作業する現場はいつも同じわけではなく、また、作業の内容も時間の経過に伴って変化する。しかも、一日の業務時間中における作業の現場の変化や作業の内容の変化について上長の承認を得たり、その履歴（業務記録）を日誌として残す必要がある（Good Agricultural Practiceと称する農業生産工程管理の取り組み）。
【００８７】
そこで、一実施例に係る出退勤・業務履歴管理システムにおいては、専用のアプリにより、スマホに「作業（通常業務）」のスタンプ（管理情報登録用のタッチボタン）を用意し、このスタンプを操作することによって、作業の登録をワンタッチで申請できるようにしている。
【００８８】
なお、作業する現場や作業の内容が変化する際の登録の申請時には、作業の内容に応じたスタンプ（例えば、「種まき、施肥、農薬散布、収穫など」）を予め用意しておき、各スタンプの操作により、作業する内容をワンタッチで申請できるようにしても良い。
【００８９】
スタンプを記号化したり、多言語化したりすることにより、日本語が堪能でない、海外からの就労者なども簡単に操作可能となる。
【００９０】
また、作業する具体的な内容については、例えば、「作業」のスタンプを操作した状態において、キーボードによる「メモの追加（コメントの書込み）」を投稿可能としても良い。また、「写真」を投稿できるようにしても良い。そして、投稿されたコメントや写真を自由に閲覧できるように表示させることにより、管理者Ｎや他の管理対象者が、投稿者である管理対象者の現場の状況や作業の内容を容易に確認できるようになる。
【００９１】
閲覧（表示）は、投稿されたコメントや写真を、ＤＢ内の個々のログファイルに保存することによって可能とされる。
【００９２】
これらの確認の作業に伴って、上長や管理者Ｎの承認、および、コメントや写真に対する他の管理対象者からのリアクションを反映させるようにしても良い。リアクションとしては、コメントや写真を投稿できるようにしても良いし、例えば、ＬＩＮＥスタンプ（登録商標）のような「絵文字マーク」を利用するようにしても良い。
【００９３】
また、作業する具体的な内容については、例えば、スマホに基本機能として予め設けられた音声認識機能を利用して、管理対象者の音声による入力としても良い。また、音声認識機能によらず、音声メモ（録音した音声）による投稿の閲覧を可能としても良い。
【００９４】
あるいは、管理対象者が作業の内容を入力せずとも、予定されていた作業の内容や、専用のアプリによって推定した作業の内容を、自動的に閲覧できるようにすることも可能である。例えば、スマホのカレンダー用ソフトとの連携により、作業すべき内容を予め記載した「予定表」を準備しておき、その「予定表」にしたがって、専用のアプリにより、開始の時刻になると自動的に「予定の作業を開始するか？」のアラートを発生させる。そして、管理対象者による「取り消し」の操作が行われない場合に、その予定の作業の内容をＤＢに登録するようにしても良い。
【００９５】
同様に、「予定表」にしたがって、専用のアプリにより、作業の終了の時刻になると所定のアラートを発生させる。そして、このアラートに対して、管理対象者が「延長（残業）」の申請を行わない場合に、自動的に作業の終了の時刻などをＤＢに登録するようにすれば良い。
【００９６】
「予定表」がなくても、その管理対象者が担当している作物の生育の状況などから、この日にすべき作業の内容を推定することも可能である。そのため、推定した作業の内容に基づいてアラートを発生させ、管理対象者による「訂正／変更」の操作が行われない場合に、推定した作業の内容をＤＢに登録するようにしても良い。
【００９７】
「作業」のスタンプを操作した場合においては、アラートの通知を音声により行うことや、アラートに対する応答の操作をウェアラブルデバイス１９１により可能とすることで、作業で汚れた手でスマホを操作することなしに実施可能となる。
【００９８】
または、農機などの作業用の機械や農具にそれぞれビーコンを取り付け、専用のアプリにより、スマホがどのビーコンを認識したかに応じて、そのビーコンに対応付けられた作業を自動的にＤＢに登録させるようにすることもできる。
【００９９】
なお、上記した「作業」の登録の申請時（業務記録の管理）において、記録忘れや内容の修正は、上長の承認を必要とすることなく、管理対象者本人により可能とされる。
【０１００】
一実施例に係る出退勤・業務履歴管理システムにおいては、専用のアプリにより、上記したスタンプの操作に伴って、スマホから管理対象者の出退勤記録、業務記録、および、緊急連絡などをワンタッチで申請できる仕組みとなっている。さらには、それらの管理情報を、ＤＢにおいて、ログファイルに履歴として保管するとともに、その履歴に基づいた日誌の作成の指示をワンタッチで申請することが可能とされている。
【０１０１】
以下に、出退勤・業務履歴管理システムの一実施例について、さらに説明する。
【０１０２】
まずは、適用される「専用のアプリ」の概要を説明する。
【０１０３】
図６は、上記した出退勤・業務履歴管理システムにおいて、「専用のアプリ」のユーザ登録画面Ｇ１の携帯端末装置１０での表示例を概略的に示すものである。
【０１０４】
例えば、携帯端末装置１０のタッチパネル部１１０に「専用のアプリ」の初期画面Ｇａが表示された状態において、サインアップ（SIGN UP）の表示Ｇ１０がタッチされることにより、タッチパネル部１１０の表示が図６に示したユーザ登録画面Ｇ１となる。
【０１０５】
このユーザ登録画面Ｇ１を携帯端末装置１０のタッチパネル部１１０に表示させた状態において、新規のユーザ登録が行われる。
【０１０６】
ユーザ登録処理は、例えば、ユーザ登録画面Ｇ１に対して、管理対象者名Ｇ１１、ログイン情報（識別情報）Ｇ１２としてのメールアドレスＧ１３およびパスワードＧ１４や、生年月日Ｇ１５および国籍Ｇ１６などの個人情報を入力することによって行われる。
【０１０７】
図７は、上記した出退勤・業務履歴管理システムにおいて、「専用のアプリ」のログイン画面Ｇ２の携帯端末装置１０での表示例を概略的に示すものである。
【０１０８】
例えば、携帯端末装置１０のタッチパネル部１１０に「専用のアプリ」の初期画面Ｇａが表示された状態において、ログイン（LOGIN）の表示Ｇ２０がタッチされることにより、タッチパネル部１１０の表示が図７に示したログイン画面Ｇ２となる。
【０１０９】
ログイン処理は、例えば、ログイン画面Ｇ２に対して、登録済のログイン情報Ｇ１２を入力後に、ログインボタンＧ２１がタッチされることによって行われる。
【０１１０】
図８は、上記した出退勤・業務履歴管理システムにおいて、「専用のアプリ」のメイン画面Ｇ３の携帯端末装置１０での表示例を概略的に示すものである。
【０１１１】
メイン画面Ｇ３は、管理対象者が「専用のアプリ」にログインしたことにより、携帯端末装置１０のタッチパネル部１１０に表示される。
【０１１２】
メイン画面Ｇ３には、例えば、地図画像表示エリアＧ３１、「推進」の作業スタンプＧ３２、「修理・整備」の作業スタンプＧ３３、「会議・研修」の作業スタンプＧ３４、および、ログ表示ボタンＧ３５や帳票表示ボタンＧ３６などが設けられている。
【０１１３】
地図画像表示エリアＧ３１は、主に、携帯端末装置１０が測位された現在の位置（または、住所）の周辺の地図などを表示する部分である。
【０１１４】
「推進」の作業スタンプＧ３２は、例えば、ＧＡＰ推進のための「推進（ログ作成）」や、農具や飼料などの「納品」、農機の「試運転」のための各スタンプを備えている。
【０１１５】
「修理・整備」の作業スタンプＧ３３は、例えば、農具の「修理」や、農機の「整備」のための各スタンプ（図示省略）を備えている。
【０１１６】
「会議・研修」の作業スタンプＧ３４は、例えば、「会議」や「研修」などに関する各スタンプ（図示省略）を備えている。
【０１１７】
なお、詳細については後述するが、試作例の「情報管理用アプリ」のメイン画面には、「出退勤（勤怠）」用、「緊急連絡」用、「通常業務」用、「打合せ」用、および、「記録確認」用などの、各種のスタンプ（タッチボタン）が設けられていれば良い。
【０１１８】
ここで、図９（ａ）から図９（ｅ）は、上記した出退勤・業務履歴管理システムにおいて、「専用のアプリ」のコメント投稿時における携帯端末装置１０での表示画面の変化（遷移）の一例を概略的に示すものである。
【０１１９】
なお、図９（ａ）はスタンプ選択画面Ｇ４であり、図９（ｂ）はコメント入力画面Ｇ５であり、図９（ｃ）は写真選択画面Ｇ６であり、図９（ｄ）は写真撮影画面Ｇ７であり、図９（ｅ）は送信（登録申請）画面Ｇ８である。
【０１２０】
スタンプ選択画面Ｇ４は、投稿者（管理対象者）が図８に示したメイン画面Ｇ３の「推進」の作業スタンプＧ３２をタッチすることにより、携帯端末装置１０のタッチパネル部１１０に表示される。
【０１２１】
スタンプ選択画面Ｇ４には、例えば、作業スタンプＧ３２のグループに属する、推進スタンプＧ４１、納品スタンプＧ４２、および、試運転スタンプＧ４３などが設けられている。
【０１２２】
コメント入力画面Ｇ５は、コメント投稿時に投稿者が図９（ａ）に示したスタンプ選択画面Ｇ４の推進スタンプＧ４１をタッチすることにより、携帯端末装置１０のタッチパネル部１１０に表示される。
【０１２３】
コメント入力画面Ｇ５は、コメント入力用の画面であって、例えば、コメント（メモ）投稿欄Ｇ５１、写真投稿欄Ｇ５２、投稿用写真選択ボタンＧ５３、および、登録申請用の送信ボタン（SUBMIT）Ｇ５４などを備えている。
【０１２４】
写真選択画面Ｇ６は、投稿者が図９（ｂ）に示したコメント入力画面Ｇ５の投稿用写真選択ボタンＧ５３をタッチすることにより、携帯端末装置１０のタッチパネル部１１０に表示される。
【０１２５】
写真選択画面Ｇ６は、例えば、予めメモリ１０２内に保存している写真を、投稿用の写真Photo１，Photo２，Photo３，Photo４，Photo５として一覧表示するフォトライブラリである。
【０１２６】
写真選択画面Ｇ６には、上記した投稿用の写真Photo１，Photo２，Photo３，Photo４，Photo５のほか、例えば、投稿する写真をカメラ部１５０によって撮影する場合に投稿者がタッチする写真撮影選択ボタンＧ６１などが設けられている。
【０１２７】
写真撮影画面Ｇ７は、例えば、投稿者が図９（ｃ）に示した写真選択画面Ｇ６の写真撮影選択ボタンＧ６１をタッチすることにより起動される、この携帯端末装置１０に予め備えられた写慎撮影機能（カメラ部１５０）の撮影画面である。
【０１２８】
登録申請画面Ｇ８は、投稿するコメントや写真をレイアウト表示するものであって、例えば、投稿者が図９（ｂ）に示したコメント入力画面Ｇ５の送信ボタンＧ５４などをタッチすることにより、携帯端末装置１０のタッチパネル部１１０に表示される。
【０１２９】
登録申請画面Ｇ８は、登録確定用の送信ボタン（SUBMIT）Ｇ８１などを備え、例えば、投稿者が送信ボタンＧ８１をタッチすることにより、後述するログへの投稿が確定される。
【０１３０】
即ち、送信ボタンＧ８１をタッチすることにより、作成済のコメントは、インターネット回線４０を介して携帯端末装置１０からクライアントサーバ３０へと送られ、記録装置３２０内の所定のログファイルに登録される。
【０１３１】
なお、上記において、管理対象者名Ｇ１１などの入力やコメントの投稿などは、例えば、携帯端末装置１０のタッチパネル部１１０に表示可能なテンキー（図示省略）を用いて行われる。または、音声による入力としても良い。
【０１３２】
また、写真の投稿は、静止画（スナップショット）に限らず、動画を投稿できるようにしても良い。
【０１３３】
図１０（ａ）および図１０（ｂ）は、上記した出退勤・業務履歴管理システムにおいて、「専用のアプリ」のログ表示画面Ｇ９の一例を概略的に示すものである。なお、図１０（ａ）は投稿の表示例であり、図１０（ｂ）はリアクションスタンプ付与時を例示したものである。
【０１３４】
ログ表示画面Ｇ９は、例えば図８に示したメイン画面Ｇ３のログ表示ボタンＧ３５を管理対象者がタッチすることにより、携帯端末装置１０のタッチパネル部１１０に表示される。
【０１３５】
ログ表示画面Ｇ９には、例えば図１０（ａ）に示すように、投稿者名、投稿時刻、投稿場所とともに、コメントおよび写真などをそれぞれ含む、複数の投稿Ｇ９１，Ｇ９２，Ｇ９３，Ｇ９４，…が時系列のリストとして表示される。複数の投稿Ｇ９１，Ｇ９２，Ｇ９３，Ｇ９４，…は、電子メールなどの場合と同様に、タッチパネル部１１０を指などでスワイプすることによって、ログ表示画面Ｇ９をスクロールさせることが可能とされている。
【０１３６】
また、ログ表示画面Ｇ９には、投稿Ｇ９１，Ｇ９２，Ｇ９３，Ｇ９４，…ごとに、リアクション追加ボタンＧ９５が表示される。これにより、各投稿Ｇ９１，Ｇ９２，Ｇ９３，Ｇ９４，…に対しては、投稿を閲覧した他者（例えば、他の管理対象者）によるリアクションマークＧ９７の付与が可能となる。
【０１３７】
リアクションマークＧ９７の付与時には、例えば図１０（ｂ）に示すように、リアクション追加ボタンＧ９５がタッチされることにより、例えば、タッチパネル部１１０の下方に「絵文字マーク一覧」Ｇ９６が表示される。そして、「絵文字マーク一覧」Ｇ９６中のいずれかタッチされたマークを、その投稿に対するリアクションマークＧ９７として追加できるようにしても良い。
【０１３８】
なお、上記のリアクションマークＧ９７としては、例えば、他者による「イイね」や上長による「承認」の可否を示すものなどであっても良い。
【０１３９】
図１１は、上記した出退勤・業務履歴管理システムにおいて、「専用のアプリ」の帳票表示メニュー画面Ｇ０の一例を概略的に示すものである。
【０１４０】
帳票表示メニュー画面Ｇ０には、例えば、日報（作業日誌）表示ボタンＧ０１や、月報（出退勤記録）表示ボタンＧ０２などが設けられている。
【０１４１】
日報表示ボタンＧ０１は、タッチパネル部１１０に指定月の業務記録（業務レポート）を表示させるためのものであり、月報表示ボタンＧ０２は、タッチパネル部１１０に指定月の出勤簿（タイムカード）を表示させるためのものである。
【０１４２】
業務記録および出勤簿は、いずれもタッチパネル部１１０に表示された状態において、管理対象者本人により、表示の内容を修正することが可能とされている（ただし、出勤簿の修正は、上長の承認をもって確定する）。
【０１４３】
帳票表示メニュー画面Ｇ０は、例えば図８に示したメイン画面Ｇ３の帳票表示ボタンＧ３６を管理対象者がタッチすることにより、携帯端末装置１０のタッチパネル部１１０に表示される。
【０１４４】
次に、適用される「専用のアプリ」の試作例（情報管理用アプリ）を示し、一実施例に係る出退勤・業務履歴管理システムについて具体的に説明する。
【０１４５】
図１２（ａ）から図１２（ｃ）は、一実施例に係る出退勤・業務履歴管理システムにおいて、「情報管理用アプリ」のスタート画面Ｐ１の携帯端末装置１０での表示例を概略的に示すものである。また、図１３は、出退勤管理用画面の携帯端末装置１０での表示例を概略的に示すものである。また、図１４は、緊急連絡用画面の携帯端末装置１０での表示例を概略的に示すものである。また、図１５は、通常業務の登録（申請）用画面の携帯端末装置１０での表示例を概略的に示すものである。また、図１６は、打合せの登録（申請）用画面の携帯端末装置１０での表示例を概略的に示すものである。また、図１７は、記録確認（申請）用画面の携帯端末装置１０での表示例を概略的に示すものである。
【０１４６】
スタート画面Ｐ１は、例えば図１２（ａ）から図１２（ｃ）に示すように、管理対象者が「情報管理用アプリ」にログインしたことにより、携帯端末装置１０のタッチパネル部１１０に表示される。
【０１４７】
また、スタート画面Ｐ１は、例えば図１２（ａ）から図１２（ｃ）に示すように、管理対象者が図示矢印Ｐ１１の方向にタッチパネル部１１０を指などでスワイプすることによって、スクロールさせることが可能とされている。
【０１４８】
スタート画面Ｐ１には、例えば図１２（ａ）から図１２（ｃ）に示すように、地図画像表示エリアＰ１２や位置情報表示エリアＰ１３が設けられている。また、「出退勤」用のスタンプＰ１４、「緊急連絡」用のスタンプＰ１５、「通常業務」用のスタンプＰ１６、「打合せ」用のスタンプＰ１７、および、「記録を確認」用のスタンプＰ１８など、各種のスタンプ（タッチボタン）が設けられている。
【０１４９】
地図画像表示エリアＰ１２は、主に、携帯端末装置１０が測位された現在の位置（または、住所）の周辺の地図などを表示する部分である。
【０１５０】
位置情報表示エリアＰ１３は、携帯端末装置１０が測位された現在の位置や住所などを表示する部分である。
【０１５１】
「出退勤」用のスタンプＰ１４は、例えば図１３に示すように、管理対象者が出勤時にタッチする「出勤」スタンプＰ１４１と退勤時にタッチする「退勤」スタンプＰ１４２とを備えている。
【０１５２】
「緊急連絡」用のスタンプＰ１５は、例えば図１４に示すように、管理対象者が緊急時にタッチする「救助要請」スタンプＰ１５１と、事故発生時にタッチする「事故」スタンプＰ１５２と、緊急連絡時にタッチする「緊急連絡」スタンプＰ１５３と、を備えている。「救助要請」スタンプＰ１５１または「事故」スタンプＰ１５２をタッチした場合、誤操作を防止するため、送信確認後に、実際の緊急連絡が送信（通報）される。「緊急連絡」スタンプＰ１５３をタッチした場合には、送信確認時に、後述する連絡事項の入力が可能とされている。
【０１５３】
「通常業務」用のスタンプＰ１６は、例えば図１５に示すように、管理対象者が作業開始時にタッチする「作業開始」スタンプＰ１６１と、終了時にタッチする「作業終了」スタンプＰ１６２と、を備えている。
【０１５４】
「打合せ」用のスタンプＰ１７は、例えば図１６に示すように、管理対象者が社内での会議の際にタッチする「社内会議」スタンプＰ１７１と、往訪打合せ時にタッチする「往訪打合せ」スタンプＰ１７２と、来訪打合せ時にタッチする「来訪打合せ」スタンプＰ１７３と、を備えている。
【０１５５】
「記録を確認」用のスタンプＰ１８は、例えば図１７に示すように、管理対象者が出退勤記録を確認する際にタッチする「タイムカード」スタンプＰ１８１と、業務記録を確認する際にタッチする「業務レポート」スタンプ（帳票作成指示用のタッチボタン）Ｐ１８２と、を備えている。
【０１５６】
次に、上記した情報管理用アプリを例に、携帯端末装置１０の実際の操作について説明する。
【０１５７】
図１８は、出勤登録時の申請画面の表示例であって、出勤時には、例えば図１３に示した「出勤」スタンプＰ１４１をタッチすることによって、携帯端末装置１０のタッチパネル部１１０の画面上に表示される。出勤時、この「出勤」スタンプＰ１４１をタッチすることにより、出勤情報としての、管理対象者の識別情報、時刻情報、および、位置情報が、クライアントサーバ３０を介して、管理装置２０に送信される。すると、例えば図１９に示すように、“スタンプを押しました”、“○○さん、「出勤」登録いたしました”などのメッセージＭ１とともに、スタート画面Ｐ１に戻るための「戻る」ボタンと、「取り消しを送信する」ボタンとが表示されて、出勤登録の申請が完了する。
【０１５８】
図２０は、退勤登録時の申請画面の表示例であって、退勤時には、例えば図１３に示した「退勤」スタンプＰ１４２をタッチすることによって、携帯端末装置１０のタッチパネル部１１０の画面上に表示される。退勤時、この「退勤」スタンプＰ１４２をタッチすることにより、例えば、入力ボタン（ｖ）の操作に伴って入力される休憩時間とともに、退勤情報としての、管理対象者の識別情報、時刻情報、および、位置情報が、クライアントサーバ３０を介して、管理装置２０に送信される。同様にして、送信後には、例えば図１９に示すように、メッセージＭ１とともに、スタート画面Ｐ１に戻るための「戻る」ボタンと、「取り消しを送信する」ボタンとが表示されて、退勤登録の申請が完了する。
【０１５９】
なお、管理対象者の出勤中においては、「出勤」スタンプＰ１４１の表示を行わないようにし、退勤後においては、「退勤」スタンプＰ１４２の表示を行わないようにしても良い。
【０１６０】
作業の開始時には、例えば図１５に示した「作業開始」スタンプＰ１６１をタッチすることにより、同様にして、作業開始登録の申請が完了する。
【０１６１】
なお、作業開始後においては、「作業開始」スタンプＰ１６１の表示を行わないようにしても良い。また、実施しようと予定している作業の内容や予定の作業時間などをメモ書きとして登録できるようにしても良い。
【０１６２】
一方、作業の終了時には、例えば図１５に示した「作業終了」スタンプＰ１６２をタッチすることにより、図２１に示すような、メモの追加欄Ｃ１と「作業終了」スタンプＰ１６２とが、携帯端末装置１０のタッチパネル部１１０の画面上に表示される。また、メモの追加欄Ｃ１をタッチすることによって、スマホ用のキーボードＫ１が表示される。作業終了時、この「作業終了」スタンプＰ１６２をタッチすることにより、例えば、キーボードＫ１の操作に伴って入力される、実施した作業の内容や実際の作業時間などのメモ書きとともに、作業終了情報としての、管理対象者の識別情報、時刻情報、および、位置情報が、クライアントサーバ３０を介して、管理装置２０に送信される。同様にして、送信後には、例えば図１９に示すように、メッセージＭ１とともに、スタート画面Ｐ１に戻るための「戻る」ボタンと、「取り消しを送信する」ボタンとが表示されて、作業終了登録の申請が完了する。
【０１６３】
なお、メモ書きの入力は、キーボードＫ１によらず、音声入力することも可能である。音声入力する場合には、例えば図２２に示すように、キーボードＫ１の音声入力（マイク）ボタンＫ２の操作により、画面上にマイク画像Ｋ３を表示させることで可能となる。
【０１６４】
打合せ時には、例えば図１６に示した「社内会議」スタンプＰ１７１、「往訪打合せ」スタンプＰ１７２、または、「来訪打合せ」スタンプＰ１７３のいずれかをタッチすることにより、同様にして、打合せ登録の申請が完了する。
【０１６５】
図２３は、出退勤記録の確認用画面Ｌ１の表示例であって、確認時には、例えば図１７に示した「タイムカード」スタンプＰ１８１をタッチすることによって、携帯端末装置１０のタッチパネル部１１０の画面上に表示される。出退勤記録の確認時、例えば、検索する年、月を入力した後に、「検索する」をタッチすることにより、勤怠の集計表Ｌ１１が表示される。
【０１６６】
勤怠の集計表Ｌ１１が表示されている状態において、例えば、管理対象者が図示矢印Ｐ２１の方向にスワイプし、修正したい時刻などをタッチすることにより、時刻を修正申告できる。ただし、この修正申告は、管理者Ｎの承認後に確定となる。
【０１６７】
図２４は、業務記録の確認用画面Ｌ２の表示例であって、確認時には、例えば図１７に示した「業務レポート」スタンプＰ１８２をタッチすることによって、携帯端末装置１０のタッチパネル部１１０の画面上に表示される。業務記録の確認時、例えば、確認する人の名前、検索する年、月を入力した後に、「検索する」をタッチすることにより、作業の記録表Ｌ２１が表示される。
【０１６８】
作業の記録表Ｌ２１が表示されている状態において、例えば、管理対象者が図示矢印Ｐ３１の方向にスワイプし、修正したい時刻、作業名、コメントなどをタッチすることにより、直接、修正できる。
【０１６９】
図２５は、記録装置３２０に保存される、データファイル（ログファイル）Ｆ１を概略的に示すものである。
【０１７０】
このログファイルＦ１では、年月日を含む時間情報や出退勤などの情報（ログデータ）が、時系列で、管理対象者ごとに管理されている。
【０１７１】
図２６は、ログファイルＦ１に基づいた業務日誌Ｆ１０の一例であって、例えば、タッチパネル部１１０上には、「出勤」スタンプＰ１４１の操作に伴う［出勤］のスタンプＦ１１とともに、出勤時間（スタンプ押印時間）、出勤場所（現場の住所）などが表示される。また、「作業開始」スタンプＰ１６１の操作に応じた［作業開始］のスタンプＦ１２とともに、作業開始時間（スタンプ押印時間）、作業の現場（住所）、および、作業の内容や予定時間などが表示される。
【０１７２】
［作業開始］のスタンプＦ１２に対しては、上長などの承認に応じた［了解です］のリアクションマークＧ９７が付与されている。
【０１７３】
ここで、緊急連絡時の操作について説明する。
【０１７４】
図２７は、緊急連絡時の送信確認用画面Ｇ１００の表示例であって、例えば図１４に示した「緊急連絡」スタンプＰ１５３がタッチされることによって、携帯端末装置１０のタッチパネル部１１０の画面上に表示される。緊急連絡時の送信確認用画面Ｇ１００には、スマホ用のキーボードＫ１が表示される。
【０１７５】
緊急連絡時には、「緊急連絡を送信」をタッチすることにより、例えば、キーボードＫ１の操作に伴って入力される連絡事項（メモ書き）とともに、緊急連絡が、クライアントサーバ３０を介して、管理装置２０に送信される。同様にして、送信後には、例えば図１９に示すように、メッセージＭ１とともに、スタート画面Ｐ１に戻るための「戻る」ボタンと、「取り消しを送信する」ボタンとが表示されて、緊急連絡時の送信確認が完了する。
【０１７６】
なお、連絡事項の入力は、キーボードＫ１によらず、音声入力することも可能である。音声入力する場合には、例えば図２８に示すように、キーボードＫ１の音声入力（マイク）ボタンＫ２の操作により、画面上にマイク画像Ｋ３を表示させることで可能となる。
【０１７７】
図２９は、管理装置２０の概略を示すもので、ディスプレイ２１０の画面上には「情報管理用アプリ」のスタート画面Ｐ１が表示されている場合を例示している。
【０１７８】
スタート画面Ｐ１において、例えば権限が与えられた管理者ＮによってメニューボタンＰ０がタッチされることにより、ディスプレイ２１０の画面上に図３０に示す管理パネルＮ１が表示される。管理パネルＮ１上の×ボタンＰ０１がタッチされることにより、スタート画面Ｐ１の表示に画面が切り換わる。
【０１７９】
管理パネルＮ１においては、例えば、承認処理（１）、タイムカード編集（２）、変更履歴（３）、勤怠出力一覧（４）、ユーザグループ管理（５）、および、グループ振り分け（６）などの処理が可能とされている。承認処理（１）とは、管理対象者によって修正申告された出退勤記録の承認を行う処理である。タイムカード編集（２）とは、管理者Ｎが管理対象者の出退勤記録を編集する処理である。変更履歴（３）とは、承認処理（１）やタイムカード編集（２）の履歴を確認する処理（変更・削除は不可）である。勤怠出力一覧（４）とは、出退勤記録を給与システムとの連携のためにＣＳＶファイル形式で出力する処理である。ユーザグループ管理（５）とは、ＣＳＶファイルの出力などをグループ単位で可能とするための処理である。グループ振り分け（６）とは、管理対象者をユーザグループ管理（５）で分類されたグループに登録する処理である。
【０１８０】
なお、管理者Ｎに限らず、例えば、上長に管理パネルＮ１の操作の権限を与えるようにしても良い。
【０１８１】
次に、出退勤・業務履歴管理システムの動作の概要について、フローチャートを参照して簡単に説明する。
【０１８２】
図３１Ａおよび図３１Ｂは、スタンプタッチ（押印）時の処理の流れを示すものである。
【０１８３】
押印実行者である作業者（管理対象者）は、ＤＢ（データベース）の更新待時に、ステップＳ１００〜Ｓ１１０の各処理を経て、図１０（ａ）に示したような投稿を行って、ＤＢ更新待ちの状態となる。
【０１８４】
これに対し、クライアントサーバ３０は、サーバ処理として、ステップＳ２００〜Ｓ２０２の各処理を経て、ＤＢを更新させた後、クライアント処理待ちの状態となる。
【０１８５】
また、承認者である上長は、ＤＢの更新待時に、ステップＳ３００〜Ｓ３０５の各処理を経て、承認処理を行った後、ＤＢの更新待の状態となる。
【０１８６】
一方、その他の作業者である管理対象者は、ＤＢの更新待時に、ステップＳ４００、Ｓ４０１の各処理を経て、更新後のログの閲覧を行った後、ＤＢ更新待ちの状態となる。
【０１８７】
図３２Ａおよび図３２Ｂは、緊急連絡時の処理の流れを示すものである。
【０１８８】
押印実行者である作業者（管理対象者）は、ＤＢの更新待時に、ステップＳ１２０〜Ｓ１２７の各処理を経て、緊急連絡を行った後、ＤＢ更新待ちの状態となる。
【０１８９】
これに対し、クライアントサーバ３０は、サーバ処理として、ステップＳ２１０〜Ｓ２１２の各処理を経て、ＤＢを更新させた後、クライアント処理待ちの状態となる。
【０１９０】
一方、その他の作業者である管理対象者は、ＤＢの更新待時に、ステップＳ４１０、Ｓ４１１の各処理を経て、更新後のログの閲覧を行った後、ＤＢ更新待ちの状態となる。
【０１９１】
図３３Ａおよび図３３Ｂは、記録確認時の処理の流れを示すものである。
【０１９２】
押印実行者である作業者（管理対象者）は、ＤＢの更新待時に、ステップＳ１３０〜Ｓ１４１の各処理を経て、業務記録や出退勤記録の表示などを行って、ＤＢ更新待ちの状態となる。
【０１９３】
これに対し、クライアントサーバ３０は、サーバ処理として、ステップＳ２２０〜Ｓ２２５の各処理を経て、ＤＢを更新させた後、クライアント処理待ちの状態となる。
【０１９４】
また、管理者Ｎは、ＤＢの更新待時に、ステップＳ５００〜Ｓ５０４の各処理を経て、承認処理を行った後、ＤＢの更新待の状態となる。
【０１９５】
図３４Ａおよび図３４Ｂは、ウェアラブルデバイス１９１による救助要請時の処理の流れを示すものである。
【０１９６】
押印実行者である作業者（管理対象者）は、ＤＢの更新待時に、ステップＳ１５０〜Ｓ１５６の各処理を経て、救助要請を行った後、ＤＢ更新待ちの状態となる。
【０１９７】
これに対し、クライアントサーバ３０は、サーバ処理として、ステップＳ２３０、Ｓ２３１の各処理を経て、ＤＢを更新させた後、クライアント処理待ちの状態となる。
【０１９８】
一方、その他の作業者である管理対象者は、ＤＢの更新待時に、ステップＳ４２０、Ｓ４２１の各処理を経て、更新後のログの閲覧を行った後、ＤＢ更新待ちの状態となる。
【０１９９】
図３５Ａおよび図３５Ｂは、ウェアラブルデバイス１９１の自動スケジュール記録時の処理の流れを示すものである。
【０２００】
押印実行者である作業者（管理対象者）は、ＤＢの更新待時に、ステップＳ１６０〜Ｓ１６５の各処理を経て、作業員に確認を行った後、ＤＢ更新待ちの状態となる。
【０２０１】
これに対し、クライアントサーバ３０は、サーバ処理として、ステップＳ２４０〜Ｓ２４６の各処理を経て、ＤＢを更新させた後、クライアント処理待ちの状態となる。
【０２０２】
また、スケジュール作成者は、ＤＢの更新待時に、ステップＳ６００〜Ｓ６０２の各処理を経て、該当する作業者の予定表の作成を行った後、ＤＢの更新待の状態となる。
【０２０３】
一方、その他の作業者である管理対象者は、ＤＢの更新待時に、ステップＳ４３０、Ｓ４３１の各処理を経て、更新後のログの閲覧を行った後、ＤＢ更新待ちの状態となる。
【０２０４】
上記したように、本実施例によれば、各種の管理情報の登録と、各種の管理情報の登録の履歴に基づいた帳票の作成の指示とを、遠隔よりワンタッチで入力することができ、各種の管理情報の管理の効率化と帳票の作成に係る負担の軽減とが図れる。
【０２０５】
即ち、スマホにワンタッチ入力が可能なスタンプを設け、そのスタンプをタッチするだけで、出退勤の申請や業務の内容を登録できるようになる。これにより、特定の場所へ立ち寄らずとも、また、タイムカードやＩＣカードを用いずとも、現場での申請が可能となり、現場への直行が可能となる。
【０２０６】
また、作業する遠隔の現場が日々または時々と変化する場合にも、その場所が正規の現場であるのか、予定されていた作業であるのかなどの判断が容易に可能となる。
【０２０７】
また、朝晩の出退勤だけでなく、例えば、業務中の移動に関しても上長の承認が必要となる場合に、承認を得るための申請が簡単に行える。
【０２０８】
また、スタンプタッチ時には、位置情報を取得したり、地図を表示することもできるので、説明しづらい場所であっても、現場の特定が容易となる。特に、海外からの就労者が管理対象者の場合、簡単な操作で、申請や通報が可能となる。
【０２０９】
また、管理対象者に対して適宜アラートによる通知を出すことができるため、申請忘れを防ぐこともできる。
【０２１０】
また、ウェアラブルデバイスを用いることによって、アラートの通知の確認やアラートに対する応答が、スマホを取り出さずとも可能となり、スマホを汚さずすむ。
【０２１１】
また、アラートによって、上長の承認（スタンプでの応答）を確認できるようにすることも可能である。
【０２１２】
また、スマホとビーコンと作業とを対応付けておくことにとって、ビーコンを検出したら、その作業の開始が自動的に登録されるようにしても良い。
【０２１３】
また、業務記録に基づく、業務の改善や効率化を図るためのアドバイスなどの提示や、農場マップの自動生成などのサポートが可能となる。
【０２１４】
また、管理対象者に対する農具などの広告やクーポンなどのサービスの提供、病害虫の特定、農薬メーカへの薬剤の発注や入札、生産物や生産方法などをはじめとする各種のオークション販売などへの適用も可能である。
【０２１５】
その他、大規模農業に限らず、例えば、漁業や林業などの分野にも適用可能である。
【符号の説明】
【０２１６】
１  店舗
３  畑
５  ビニルハウス
７  圃場
９  事務所
１０  携帯端末装置
１０ａ，１０ｂ，１０ｃ，１０ｄ，１０ｅ，１０ｆ，…，１０ｎ  スマートフォン
２０  管理装置
３０  クライアントサーバ
１００、２００  制御部
１１０  タッチパネル部
１２０  ＧＰＳ受信機
１４０  時計部
１９１  ウェアラブルデバイス
２１０  ディスプレイ
２４０  ＨＤＤ
３２０  記録装置
【図１】
2020098436.tif 000003
【図２】
2020098436.tif 000004
【図３】
2020098436.tif 000005
【図４】
2020098436.tif 000006
【図５】
2020098436.tif 000007
【図６】
2020098436.tif 000008
【図７】
2020098436.tif 000009
【図８】
2020098436.tif 000010
【図９】
2020098436.tif 000011
【図１０】
2020098436.tif 000012
【図１１】
2020098436.tif 000013
【図１２】
2020098436.tif 000014
【図１３】
2020098436.tif 000015
【図１４】
2020098436.tif 000016
【図１５】
2020098436.tif 000017
【図１６】
2020098436.tif 000018
【図１７】
2020098436.tif 000019
【図１８】
2020098436.tif 000020
【図１９】
2020098436.tif 000021
【図２０】
2020098436.tif 000022
【図２１】
2020098436.tif 000023
【図２２】
2020098436.tif 000024
【図２３】
2020098436.tif 000025
【図２４】
2020098436.tif 000026
【図２５】
2020098436.tif 000027
【図２６】
2020098436.tif 000028
【図２７】
2020098436.tif 000029
【図２８】
2020098436.tif 000030
【図２９】
2020098436.tif 000031
【図３０】
2020098436.tif 000032
【図３１Ａ】
2020098436.tif 000033
【図３１Ｂ】
2020098436.tif 000034
【図３２Ａ】
2020098436.tif 000035
【図３２Ｂ】
2020098436.tif 000036
【図３３Ａ】
2020098436.tif 000037
【図３３Ｂ】
2020098436.tif 000038
【図３４Ａ】
2020098436.tif 000039
【図３４Ｂ】
2020098436.tif 000040
【図３５Ａ】
2020098436.tif 000041
【図３５Ｂ】
2020098436.tif 000042